(57)【要約】      （修正有）【課題】家電製品自身の本体に電源プラグを一時的に固定し、コンセントから抜かれた電源コードの余った部分もこれに掛け、整理整頓できる電源プラグ用留め具を提供する。【解決手段】永久磁石を利用した留め具であり、磁石吸引可能な本体を有する家電製品については直接、不可能な合成樹脂製の本体の家電製品に対しては、別途用意した磁石吸引可能な鉄などの薄板を両面粘着テープで貼り付けて利用するものであり、直方体の永久磁石１とバネ付き蝶番２を組み合わせ、電源コードの保護と滑り止めを目的に、ゴムまたは合成樹脂製のクッション材４とバネの力を利用してコードを挟む方法、バネ付き蝶番を使用しない場合は、吸着面と反対側の上面にクッション材を貼り付けた永久磁石と下側の面にクッション材を貼り付けた押さえ板で押さえる方法、永久磁石をクッション材を内側に貼り付けた既製クリップで挟む方法を用い、家電製品の電源コードのプラグ直近に装着して利用する。【選択図】図２
0003217405.tif 000002
【実用新案登録請求の範囲】
【請求項１】
家電製品の電源コードの差し込みプラグ直近に装着して使用するアダプターであり、家電製品の本体と接する底部にフェライトまたは希土類などの永久磁石を取り付けて、これを利用して家電製品の本体に一時的に固定できる電源プラグ用留め具であって、電源コードの整理整頓を目的に家電製品の本体が永久磁石に対して吸着可能であれば直接に取りつけ、吸着が不可能な本体が合成樹脂製の機器に対しては別途用意した鉄などの吸着可能な金属製で磁石の大きさに合った薄板を両面粘着テープで貼り付け、これを利用して電源プラグを一時的に固定できる電源プラグ用留め具。
【請求項２】
直方体の永久磁石の長手方向で吸着力の強い、幅の広い面を吸着面として使い、側面の一方に、スプリング付き金属製または合成樹脂製の蝶番の一片の下部を接着剤または両面粘着テープなどで固定し、蝶番は使用時には２枚の片が平面状態でコードを挟むため、蝶番の上側の片の内側には、電源コードの保護と滑り止めを目的にゴムまたは合成樹脂製スポンジのクッション材の貼り付けと外側には操作性を考慮して、合成樹脂製の薄板状の側板を貼り付けておき、永久磁石の反対側の側面には、内側にはストッパと前述のクッション材を貼り付けた、前述の側板付き蝶番と同じ大きさの合成樹脂製側板を接着剤または両面粘着テープで貼り付け固定し、使用時には蝶番の付いた側板を開き、両者のクッション材の間に電源コードをワンタッチで挟んでコードに取り付け、家電製品本体に仮止めが可能な電源プラグ用留め具。
【請求項３】
直方体の永久磁石の長手方向で吸着力の強い、幅の広い面を吸着面として使い、側面の一方に、スプリング付き金属製または合成樹脂製の蝶番を前もって貼り付けて用意した側板を接着剤または両面粘着テープなどで固定し、蝶番は使用時には２枚の片がお互い直角状態でコードを挟むため、蝶番の上側の片の内側には、電源コードの保護と滑り止めを目的にゴムまたは合成樹脂製スポンジのクッション材を貼り付け、外側には操作性を考慮して、把っ手となる合成樹脂製で薄板の側板を貼り付けておき、永久磁石の反対側の側面には、電源コードを挟んだ状態で、蝶番の上の片が直角になるように、蝶番の下側の片の高さに合った合成樹脂製の側板を接着剤または両面粘着テープでなどで固定し、さらに、電源コードに接する永久磁石の上面にもクッション材を貼り付けておき、直角状態の蝶番の可動片を上方向に開き、ワンタッチでコードを挟んで取り付けて使用できる電源プラグ用留め具。
【請求項４】
直方体の永久磁石の長手方向で吸着力の強い、幅の広い面を吸着面として使い、その両側面に合成樹脂製薄板の側板の下部を接着剤または両面粘着テープでなどで固定し、永久磁石の上部には電源コードの保護と滑り止めを目的にゴムまたは合成樹脂製のスポンジのクッション材を貼り付け、その上側に電源コードを添わせ、さらに、この電源コード押さえつけるための、下側にクッション材を貼り付け、二つの側板の間に収まる厚さで、側板と同じ形状の押さえ板挿入し、側板と押さえ板には組み立て用のネジ孔を明けておき、金属製ネジまたはプラスチック製ネジで止め、一体化して使用する電源プラグ用留め具。
【請求項５】
直方体の永久磁石の吸着面として利用する面に対応する上の面には電源コードの保護と滑り止めを目的にゴムまたは合成樹脂製のスポンジのクッション材を貼り付けたものを準備し、この永久磁石を挟んで使用するため、これに合った既製のクリップを用意し、その内側に電源コードの保護と滑り止めを目的にゴムまたは合成樹脂製のスポンジのクッション材を貼り付け、装着時には電源コードを通した後、用意した永久磁石を挟み、一体化させて使用することができる電源プラグ用留め具。
【請求項６】
前述の請求項２請求項４に示した構造の電源プラグ用留め具の操作性を良くするための側板および請求項３の把っ手となる側板の形状は、機能本意の長方形の形状に限定されず、鳥、昆虫、魚、動物、植物などの形状にして、面白さ、楽しさ、実用性を兼ねた構造を有する電源プラグ用留め具。
【考案の詳細な説明】
【技術分野】
【０００１】  本考案は家電製品の電源コードを整理整頓するための付属品に関するものである。
【背景技術】
【０００２】  家電製品においては、電源コードの巻き取り、収納する構造を有する製品も存在するが、季節的に使用し、移動して使用する機会が多い家電製品の多くは、使用していない非通電時の電源コードを整理整頓できる製品は少ないのが現状である。
【先行技術文献】
【特許文献】
【０００３】
【特許文献１】特開  ２０１６−１００３２７号
【特許文献２】特開  ２０１２−０６４５１８号
【特許文献３】特開  ２００７−０６６８５８号
【特許文献４】特開  ２００５−２９８２０６号
【特許文献５】特開平  ０８−２１７１３３号
【０００４】
【非特許文献５】実登  ３０９３６９９号
【考案の概要】
【考案が解決しようとする課題】
【０００５】  使用場所を限定しない使い方をされることが多い冬季利用の電気ストーブ、オイルヒータ、石油ファンヒータ、温風暖房機、夏期利用の扇風機、除湿器、送風機などの家電製品が使用されていない時安全のためにコンセントから引き抜かれた状態の電源コードの整理整頓および安全の確保を課題とした。
【課題を解決するための手段】
【０００６】  本考案は永久磁石の吸引力を利用して、家電製品の電源コードを家電製品自身の本体に一時的に固定するため、磁石の吸引力が利用できる物は直接、吸引力が利用できない本体が合成樹脂製の電化製品にたいしては、別途用意した永久磁石の吸引力に対応可能な鉄などの金属性で永久磁石の大きさに合った薄板を両面粘着テープで貼り付けて、これを利用して電源プラグ直近に本電源プラグ用留め具を装着して家電製品の本体に一時的に固定する。
【考案の効果】
【０００７】  使用中の家電製品の電源コードは電源コンセントに接続され略きちんとしているが、不使用時における電源コードは粗雑に取りに扱われる傾向があり、本器を電源コードの直近に装着することにより、電源コードの整理整頓が可能になり、引き抜かれた電源コードにつまずいたり、引っ掛けたり、踏みつけることも無くなり、室内移動が安全になりこれから進む高齢化社会にも対応できるなどの効果がある。
【図面の簡単な説明】
【０００８】
【図１】本考案の実施例１を示す図である。
【図２】本考案の実施例２を示す図である。
【図３】本考案の実施例３を示す図である。
【図４】本考案の実施例４を示す図である。
【図５】本考案の実施例の写真である。
【考案を実施するための形態】
【０００９】  本考案の実施形態の図１、図２は永久磁石とバネ付き蝶番を組み合わせ、バネの戻る力を利用して、電源コードを挟み込むようにして、装着する方法を用いたものであり、図３は永久磁石とクッション付き押さえ板を利用して装着するものであり、図４は既製クリップで押さえ込むようにして装着する形態にしたものである。
【実施例】
【００１０】  図１は２バネ付き蝶番を１永久磁石の側面に固定し、反対側の側面には５ストッパ付き側板を固定し、２バネ付き蝶番の外側には３側板をとりつけ、２バネ付き蝶番と５ストッパ付き側板の内側にそれぞれ４クッション材を張り付け、４クッション材を利用して横方向から電源コードを挟む構造のものであり、図２は１永久磁石の側面に７バネ付き蝶番の付いた側板と３側板を固定し、２バネ付き蝶番の上の片には操作性を良くするため、８把っ手となる側板をとりつけ、１永久磁石と２バネ付き蝶番の内側には４クッション材を張り付け、４クッション材を利用して上下方向から電源コードを挟む構造のものであり、図３は１永久磁石の両側面に３側板を固定し、９押さえ板で押さえる方法を用いており、１永久磁石の上側の面と９押さえ板の下側の面には４クッション材を貼り付け、その空間に電源コードを通した後、９押さえ板と３側板を１０止めネジを使って、装着する構造のものであり、図４は１１既製のクリップの内側に４クッション材を貼り付けたものと１永久磁石の上部に４クッション材を貼り付けたものを別々に用意し、電源コードをその間に挟はさんで装着する簡易な構造のものである。図５は前述の実施例で製作した電源プラグ用留め具の写真である。
【産業上の利用可能性】
【００１１】  電源プラグ用留め具は、家電製品の電源コードの整理整頓に有効であるが、ほかの分野においても永久磁石は一時的に物を固定する用途に広く使われており、さらに新しい用途が期待される。
【符号の説明】１  永久磁石
２  バネ付き蝶番
３  側板
４  クッション材
５  ストッパ付き側板
６  ストッパ
７  バネ付き蝶番の付いた側板
８  把っ手
９  押さえ板
１０止めネジ
１１既製クリップ
１２請求項２の実施例
１３請求項３の実施例
１４請求項４の実施例
１５請求項５の実施例
１６裏面に両面粘着テープを貼り付けた永久磁石取りつけ用鉄製薄板
【図１】
0003217405.tif 000003
【図２】
0003217405.tif 000004
【図３】
0003217405.tif 000005
【図４】
0003217405.tif 000006
【図５】
0003217405.tif 000007
【手続補正書】
【提出日】平成30年4月26日(2018.4.26)
【手続補正１】
【補正対象書類名】実用新案登録請求の範囲
【補正対象項目名】全文
【補正方法】変更
【補正の内容】
【実用新案登録請求の範囲】
【請求項１】
家電製品の電源コードの差し込みプラグ直近に装着して使用するアダプターであり、家電製品の本体と接する底部にフェライトまたは希土類の永久磁石を取り付けて、これを利用して家電製品の本体に一時的に固定できる電源プラグ用留め具であって、電源コードの整理整頓を目的に家電製品の本体が永久磁石に対して吸着可能であれば直接に取りつけ、吸着が不可能な本体が合成樹脂製の機器に対しては別途用意した吸着可能な鉄製で磁石の大きさに合った薄板を両面粘着テープで貼り付け、これを利用して電源プラグを一時的に固定できる電源プラグ用留め具。
【請求項２】
直方体の永久磁石の長手方向で吸着力の強い、幅の広い面を吸着面として使い、側面の一方に、スプリング付き金属製または合成樹脂製の蝶番の一片の下部を接着剤または両面粘着テープで固定し、蝶番は使用時には２枚の片が平面状態でコードを挟むため、蝶番の上側の片の内側には、電源コードの保護と滑り止めを目的にゴムまたは合成樹脂製スポンジのクッション材の貼り付けと外側には操作性を考慮して、合成樹脂製の薄板状の側板を貼り付けておき、永久磁石の反対側の側面には、内側にはストッパと前述のクッション材を貼り付けた、前述の側板付き蝶番と同じ大きさの合成樹脂製側板を接着剤または両面粘着テープで貼り付け固定し、使用時には蝶番の付いた側板を開き、両者のクッション材の間に電源コードをワンタッチで挟んでコードに取り付け、家電製品本体に仮止めが可能な電源プラグ用留め具。
【請求項３】
直方体の永久磁石の長手方向で吸着力の強い、幅の広い面を吸着面として使い、側面の一方に、スプリング付き金属製または合成樹脂製の蝶番を前もって貼り付けて用意した側板を接着剤または両面粘着テープで固定し、蝶番は使用時には２枚の片がお互い直角状態でコードを挟むため、蝶番の上側の片の内側には、電源コードの保護と滑り止めを目的にゴムまたは合成樹脂製スポンジのクッション材を貼り付け、外側には操作性を考慮して、把っ手となる合成樹脂製で薄板の側板を貼り付けておき、永久磁石の反対側の側面には、電源コードを挟んだ状態で、蝶番の上の片が直角になるように、蝶番の下側の片の高さに合った合成樹脂製の側板を接着剤または両面粘着テープで固定し、さらに、電源コードに接する永久磁石の上面にもクッション材を貼り付けておき、使用時には直角状態の蝶番の可動片を上方向に開き、ワンタッチで電源コードを挟んで取り付けて使用できる電源プラグ用留め具。
【請求項４】
直方体の永久磁石の長手方向で吸着力の強い、幅の広い面を吸着面として使い、その両側面に合成樹脂製薄板の側板の下部を接着剤または両面粘着テープで固定し、永久磁石の上部には電源コードの保護と滑り止めを目的にゴムまたは合成樹脂製のスポンジのクッション材を貼り付け、その上側に電源コードを添わせ、さらに、この電源コード押さえつけるための、下側にクッション材を貼り付け、二つの側板の間に収まる厚さで、側板と同じ形状の押さえ板挿入し、側板と押さえ板には組み立て用のネジ孔を明けておき、金属製ネジまたはプラスチック製ネジで止め、一体化して使用する電源プラグ用留め具。
【請求項５】
直方体の永久磁石の吸着面として利用する面に対応する上の面には電源コードの保護と滑り止めを目的にゴムまたは合成樹脂製のスポンジのクッション材を貼り付けたものを準備し、この永久磁石を挟んで使用するため、これに合った既製のクリップを用意し、その内側に電源コードの保護と滑り止めを目的にゴムまたは合成樹脂製のスポンジのクッション材を貼り付け、装着時には電源コードを通した後、用意した永久磁石を挟み、一体化させて使用することができる電源プラグ用留め具。
【請求項６】
前述の請求項２に示した構造の電源プラグ用留め具の操作性を良くするための側板および請求項３の把っ手となる側板の形状は、機能本意の長方形の形状に限定されず、鳥、昆虫、魚、動物、植物の形状にして、面白さ、楽しさと実用性を兼ねた構造を有する電源プラグ用留め具。
【請求項７】
前述の請求項４に示した構造の電源プラグ用留め具の二つの側板とその間に収まる押さえ板を組み合わせた状態の形状は、機能本意の長方形の形状に限定されず、鳥、昆虫、魚、動物、植物の形状にして、面白さ、楽しさと実用性を兼ねた構造を有する電源プラグ用留め具。